(57)【要約】【課題】カップだけでなくカップ以外の物品をも保持できる車両用収納体装置の提供。【解決手段】（１）車両の内装部材の少なくとも一部を構成するベース２０と、ベース２０に引き出し自在に設けられたＬ字状部材３０と、ベース２０に回動可能に取付けられるアーム４０と、アーム４０をＬ字状部材３０の引き出し方向と同方向に付勢する付勢部材と、を有する車両用収納体装置。（２）車両の内装部材の少なくとも一部を構成するベースと、ベースに引き出し自在に設けられたＬ字状部材と、Ｌ字状部材にＬ字状部材の引き出し方向と直行する方向に移動可能なサポート部材と、を有する車両用収納体装置。【選択図】        図３
2004203065.tif 000002
【特許請求の範囲】
【請求項１】
車両の内装部材の少なくとも一部を構成するベースと、
前記ベースに引き出し自在に設けられたＬ字状部材と、
前記ベースに回動可能に取付けられるアームと、
前記アームを前記Ｌ字状部材の引き出し方向と同方向に付勢する付勢部材と、を有する車両用収納体装置。
【請求項２】
車両の内装部材の少なくとも一部を構成するベースと、
前記ベースに引き出し自在に設けられたＬ字状部材と、
前記Ｌ字状部材に該Ｌ字状部材の引き出し方向と直交する方向に移動可能なサポート部材と、
を有する車両用収納体装置。
【請求項３】
前記Ｌ字状部材は、前記ベースに引き出し自在に支持された底壁と、該底壁の引き出し方向先端部から前記ベースに対向して立ち上がる立ち上がり壁とを、備えている、請求項１または請求項２記載の車両用収納体装置。
【請求項４】
前記サポート部材の形状はＬ字状である、請求項２記載の車両用収納体装置。
【請求項５】
前記ベースは、コンソールボックスまたはリヤ席のアームレストである、請求項１または請求項２記載の車両用収納体装置。
【発明の詳細な説明】
【０００１】
【発明の属する技術分野】
本発明は、車両用収納体装置に関する。
【０００２】
【従来の技術】
車両用収納体装置として、たとえば、特開２００１−２６０７５７号公報に開示された車両用収納体装置がある。
上記公報に開示された収納体装置は、コンソールボックスの車両後方側面から車両後方に引き出し可能なカップホルダである。
【０００３】
【特許文献１】
特開２００１−２６０７５７号公報
【０００４】
【発明が解決しようとする課題】
しかし、上記公報の車両用収納体装置には、つぎの問題点（課題）がある。
１種類の物品（カップ）しか保持できず、カップ保持専用の装置としては大きなスペースを要し大掛かりである。
カップだけでなく、新聞、雑誌、地図などの本も保持することができれば、車内に持ち込む頻度の高いカップと本を同じ場所で保持でき、便利である。
本発明の目的は、カップだけでなくカップ以外の物品をも保持できる車両用収納体装置を提供することにある。
【０００５】
【課題を解決するための手段】
上記目的を達成する本発明はつぎの通りである。
（１）  車両の内装部材の少なくとも一部を構成するベースと、
前記ベースに引き出し自在に設けられたＬ字状部材と、
前記ベースに回動可能に取付けられるアームと、
前記アームを前記Ｌ字状部材の引き出し方向と同方向に付勢する付勢部材と、を有する車両用収納体装置。
（２）  車両の内装部材の少なくとも一部を構成するベースと、
前記ベースに引き出し自在に設けられたＬ字状部材と、
前記Ｌ字状部材に該Ｌ字状部材の引き出し方向と直交する方向に移動可能なサポート部材と、
を有する車両用収納体装置。
（３）  前記Ｌ字状部材は、前記ベースに引き出し自在に支持された底壁と、該底壁の引き出し方向先端部から前記ベースに対向して立ち上がる立ち上がり壁とを、備えている、（１）または（２）記載の車両用収納体装置。
（４）  前記サポート部材の形状はＬ字状である、（２）記載の車両用収納体装置。
（５）  前記ベースは、コンソールボックスまたはリヤ席のアームレストである、（１）または（２）記載の車両用収納体装置。
【０００６】
上記（１）、（３）、（５）の車両用収納体装置では、ベースとＬ字状部材とアームとで上方に開放する収容部を形成することができる。そのため、ベースとＬ字状部材とアームとで形成される収容部にカップを収納することができる。また、アームがベースに回動可能に取付けられており、アームをＬ字状部材の引き出し方向と同方向に付勢する付勢部材が設けられているので、ベースとＬ字状部材との間に新聞・雑誌、地図などの本を入れ、アームで本をＬ字状部材に押し付けて本を保持することができる。
上記（２）〜（５）の車両用収納装置では、Ｌ字状部材がベースに対して引き出し自在に設けられており、サポート部材がＬ字状部材にＬ字状部材の引き出し方向と直交する方向に移動可能とされているので、ベースとＬ字状部材とサポート部材とで上方に開放する容積可変の収容部を形成することができる。そのため、ベースとＬ字状部材とサポート部材とで形成される収容部の容積を変えることにより、複数種類の物品を（カップだけでなく、カップ以外の本も）保持できる。
【０００７】
【発明の実施の形態】
図１〜図１１は、本発明実施例１の車両用収納体装置を示しており、図１２〜図２０は、本発明実施例２の車両用収納体装置を示している。
本発明実施例１と本発明実施例２にわたって共通する部分には、本発明実施例１と本発明実施例２にわたって同じ符号を付してある。
まず、本発明実施例１と本発明実施例２にわたって共通する部分を、たとえば、図３、図４、図１６を参照して、説明する。
【０００８】
本発明実施例の車両用収納体装置（以下、収納体装置という）１０は、図３に示すように、車両の内装部材の少なくとも一部を構成するベース２０と、ベース２０に引き出し自在に設けられたＬ字状部材３０を、有する。
ベース２０は、コンソールボックスまたはリヤ席のセンターアームレストである（図示例では、ベース２０がコンソールボックスである場合を示している）。以下、本発明実施例では、ベース２０がコンソールボックスである場合を例にとって説明する。
ベース２０は、図４に示すように、Ｌ字状部材３０の底壁部３１を出し入れ可能に支持する支持部２１を有する。
支持部２１は、ベース２０の下端部に設けられている。支持部２１は、ベース２０の車両後方向側面２２から車両前方向に延びて形成されている。支持部２１の開口は、車両左右方向に延びている。支持部２１には、凹凸面２１ａが設けられている。凹凸面２１ａは、凹凸形状の鉄板を支持部２１内に取付けることにより形成されていてもよく、ベース２０に一体成形されることにより形成されていてもよい。
【０００９】
Ｌ字状部材３０は、ベース２０の車両後方側面２２から車両後方向に引き出し可能（スライド可能）である。Ｌ字状部材３０は、ベース２０に引き出し自在に支持された底壁部３１と、底壁部３１の引き出し方向先端部（車両後方向側端部）からベース２０の車両後方向側面２２に対向して立ち上がる立ち上がり壁部３２とを、備えている。
底壁部３１は、薄板形状である。底壁部３１は、支持部２１に車両後方向に引き出し可能に支持される。底壁部３１は、上下方向・車両左右方向にがたつきなくまたは無視できる程度のがたつきをもって、支持部２１に支持される。底壁部３１は、図１６に示すように、支持部２１の凹凸面２１ａに係合する突起部３１ａを有する。突起部３１ａは、凹凸面２１ａに係合する方向に常時付勢されている。突起部３１ａを付勢する部材は、板バネであってもよく、コイルスプリングであってもよい。突起３１ａと凹凸面２１ａが設けられているので、Ｌ字状部材３０をベース２０に対して車両前後方向に移動させるとき、節度を得ることができる。また、凹凸面２１ａを支持部２１の車両前方向側端部から車両後方向側端部まで設けることにより、Ｌ字状部材３０をベース２０から引き出す量を調節することができる。
立ち上がり壁部３２は、図３に示すように、薄板形状であってもよく、厚板形状であってもよい。立ち上がり壁部３２の車両前方向側面３２ａは、ベース２０の車両後方向側面２２に対向している。
【００１０】
つぎに、本発明各実施例に特有な部分を説明する。
本発明実施例１の収納体装置１０ａは、図４に示すように、ベース２０とＬ字状部材３０のほかに、さらに、ベース２０に回動可能に取付けられるアーム４０と、アーム４０をＬ字状部材４０のベース２０に対する引出し方向と同方向に付勢する付勢部材５０とを、有する。
アーム４０は、少なくとも１本からなる（図示例では、２本設けられる場合を示している）。以下、本発明実施例１では、アーム４０が２本設けられる場合を例にとって説明する。
アーム４０は、図５に示すように、一対設けられている。アーム４０は、ベース２０の車両左右方向両端部またはその近傍に取付けられる。一対のアーム４０は、車両左右方向に間隔を隔てて配置される。アーム４０は、棒形状である。アーム４０は、軸方向一端部４１で、ベース２０に、車両左右方向と直交する方向に回動可能に取付けられる。アーム４０の軸方向他端部４２は、自由端部であり、Ｌ字状部材３０とは連結されていない。アーム４０の軸方向他端部４２にはローラー４３が取付けられる。ただし、ローラー４３は必須の構成要件ではない。
ローラー４３は、アーム４０の軸方向他端部４２に、車両左右方向と直交する方向に回動可能に取付けられる。ローラー４３が設けられているので、アーム４０の動きは滑らかである。
【００１１】
付勢部材５０は、図４に示すように、アーム４０を、アーム４０の軸方向他端部４２が車両後方向に突出する方向に付勢する。付勢部材５０は、たとえば、コイルスプリングからなる。ただし、コイルスプリングに限定されるものではない。付勢部材５０の一端は、アーム４０に当てられており、付勢部材５０の他端は、ベース２０に当てられている。
【００１２】
ここで、本発明実施例１の作動を説明する。
▲１▼Ｌ字状部材３０がベース２０に対して引き出されていないとき（図１、図２参照）
Ｌ字状部材３０の底壁部３１は、ベース２０の支持部２１内に入り込んでいる。突起３１ａは、凹凸面２１ａに係合しており、Ｌ字状部材３０がベース２０に対して車両前後方向にがたつくことはない。Ｌ字状部材３０の立ち上がり壁部３２の車両前方向側面３２ａは、ベース２０の車両後方側面２２とアーム４０に接触している。
アーム４０は、付勢部材５０の付勢力に抗して、Ｌ字状部材３０の立ち上がり壁部３２により押されている。アーム４０は、上下方向に延びている。
【００１３】
▲２▼カップ（カップ、缶、ペットボトル等）Ｃを保持する場合
Ｌ字状部材３０を手でベース２０に対して車両後方向に引き出すと、図４に示すように、アーム４０が、付勢部材５０の付勢力により、ローラー４３を立ち上がり壁部３２の車両前方向側面３２ａに接触させながら、車両後方向に突出する。このとき、図５に示すように、ベース２０の車両後方向側面２２と、立ち上がり壁部３２の車両前方向側面３２ａと、一対のアーム４０の車両左右方向内側面とを四側の側壁面とし、底壁部３１の上面を底面とする、上方に開放する収納部Ｓが形成される。収納部Ｓは、たとえば、カップ（カップ、缶、ペットボトル等）Ｃを収納可能である。図６、図７は、収納部ＳにカップＣを置いた状態を示している。
さらにＬ字状部材３０をベース２０に対して車両後方向に引き出すと、図８に示すように、収納部Ｓの車両前後方向長さが大になり、カップＣを車両前後方向に２個収納することができる。
【００１４】
▲３▼新聞、雑誌、地図などの本Ｂを保持する場合
Ｌ字状部材３０を手でベース２０に対して車両後方向に引き出し、ベース２０の車両後方向側面２２と立ち上がり壁部３２の車両前方向側面３２ａとの間に本Ｂを置くと、図９、図１０に示すように、アーム４０が付勢部材５０により付勢されているので、アーム４０と立ち上がり壁部３２とで本Ｂを車両前後方向に挟み込み、本Ｂを保持することができる。
【００１５】
▲４▼カップＣと本Ｂを同時に保持する場合
Ｌ字状部材３０を手でベース２０に対して車両後方向に引き出し、収納部Ｓを形成する。このとき、収納部ＳにカップＣを収納し、アーム４０と立ち上がり壁部３２との車両前後方向間に本Ｂを差し込むことで、図１１に示すように、カップＣと本Ｂを同時に１つの場所（コンソールボックス背面部）で同時に保持できる。
【００１６】
つぎに、本発明実施例１の作用を説明する。
収容部ＳにカップＣを収納することができる。また、アーム４０がベース２０に回動可能に取付けられており、アーム４０をＬ字状部材３０の引き出し方向と同方向に付勢する付勢部材５０が設けられているので、ベース２０とＬ字状部材３０との間に新聞・雑誌、地図などの本Ｂを入れ、アーム４０で本ＢをＬ字状部材３０に押し付けて保持することができる。
アーム４０の軸方向他端部４２が自由端部とされており、Ｌ字状部材３０に連結されていないため、Ｌ字状部材３０の立ち上がり壁部３２とアーム４０との車両前後方向間に本Ｂを差し込むことができる。立ち上がり壁部３２とアーム４０で本Ｂを挟み込んで保持するため、収納体装置１０ａよりも車両左右方向長さが大の本Ｂも保持できる。
Ｌ字状部材３０はベース２０に対して車両後方向に引き出し自在であるため、Ｌ字状部材３０をベース２０から車両後方向に引き出す量を調節することにより、収納部Ｓを１個おきのカップホルダとして使用することも、収納Ｓを２個おきのカップホルダとして使用することもできる。すなわち、Ｌ字状部材３０をベース２０に対して引き出す量を調節することにより、収容部Ｓに収容される物品の大きさ、数に対応した収容部スペースを形成することができる。
車内に持ち込む頻度の高いカップＣと本Ｂを同じ場所に保持することができ、車内をすっきりさせることができる。
コンソールボックス背面部で本Ｂを保持できるので、たとえば助手席や運転席のシートバックポケットに本Ｂを入れているときより運転者の人から本Ｂまでの距離が近くなる。
【００１７】
本発明実施例２の収納体装置１０ｂは、図１４に示すように、ベース２０とＬ字状部材３０のほかに、さらに、Ｌ字状部材３０にＬ字状部材３０の引き出し方向と直交する方向に移動可能なサポート部材６０を、有する。
【００１８】
Ｌ字状部材３０の底壁部３１は、図１６に示すように、サポート部材６０の底壁６１を出し入れ可能に支持する底壁収納部３１ｂを有する。
底壁収納部３１ｂは、Ｌ字状部材３０の車両左右方向側面からＬ字状部材３０の車両左右方向中央部近傍まで設けられている。底壁収納部３１ｂには、凹凸面３１ｃが設けられている。凹凸面３１ｃは、凹凸形状の鉄板を底壁収納部３１ｂ内に取付けることにより形成されていてもよく、Ｌ字状部材３０に一体成形されることにより形成されていてもよい。
【００１９】
立ち上がり壁部３２には、図１５に示すように、たとえば、カップホルダ３２ｂ、灰皿３２ｃが設けられている。ただし、カップホルダ３２ｂ、灰皿３２ｃは必須の構成要件ではない。
カップホルダ３２ｂは、上方に開放して設けられている。灰皿３２ｃは、立ち上がり壁部３２の車両後方向側面３２ｄの下端部またはその近傍に設けられる。
【００２０】
サポート部材６０は、少なくとも１個からなる（図示例では、サポート部材６０が２個からなる場合を示している）。以下、本発明実施例２では、サポート部材６０が２個からなる場合を例にとって説明する。
サポート部材６０は、底壁６１と、立ち上がり壁６２とを、有する。
底壁６１は、Ｌ字状部材３０の底壁収納部３１ｂに車両左右方向外方に引き出し可能に支持される。底壁６１は、上下方向・車両前後方向にがたつきなくまたは無視できる程度のがたつきをもって、底壁収納部３１ｂに支持される。
底壁６１は、図１６に示すように、Ｌ字状部材３０の凹凸面３１ｃに係合する突起６１ａを、有する。突起６１ａは、凹凸面３１ｃに係合する方向に常時付勢されている。突起６１ａを付勢する部材は、板バネであってもよく、コイルスプリングであってもよい。突起６１ａと凹凸面３１ｃが設けられているので、サポート部材６０をＬ字状部材３０に対して車両左右方向に移動させるとき、節度を得ることができる。また、凹凸面３１ｃを底壁収納部３１ｂの車両左右方向片側端部から車両左右方向他側端部まで設けることにより、サポート部材６０をＬ字状部材３０から引き出す量を調節することができる。
【００２１】
ここで、本発明実施例２の作動を説明する。
▲１▼Ｌ字状部材３０がベース２０に対して引き出されていないとき
図１２に示すように、Ｌ字状部材３０の底壁部３１は、ベース２０の支持部２１内に入り込んでいる。突起部３１ａは、凹凸面２１ａに係合しており、Ｌ字状部材３０がベース２０に対して車両前後方向にがたつくことはない。Ｌ字状部材３０の立ち上がり壁部３２の車両後方向側面３２ｄは、ベース２０の車両後方側面２２と面一になっている。サポート部材６０の底壁６１は、Ｌ字状部材３０の底壁収納部３１ｂ内に入り込んでいる。突起６１ａは、凹凸面３１ｃに係合しており、サポート部材６０がＬ字状部材３０に対して車両左右方向にがたつくことはない。
【００２２】
▲２▼カップ（カップ、缶、ペットボトル等）Ｃを保持する場合
Ｌ字状部材３０を手でベース２０に対して車両後方向に引き出すと、図１３に示すように、Ｌ字状部材３０の立ち上がり壁部３２がベース２０から車両後方向に突出し、カップホルダ３２ｂを使用することができる。
さらにＬ字状部材３０をベース２０に対して車両後方向に引き出すと、図１４に示すように、ベース２０の車両後方向側面２２と、立ち上がり壁部３２の車両前方向側面３２ａと、一対のサポート部材６０の立ち上がり壁６２の車両左右方向内側面とを四側の側壁面とし、Ｌ字状部材３０の底壁部３１の上面とサポート部材６０の底壁６１の上面とを底面とする、上方に開放する収納部Ｓ´が形成される。収納部Ｓ´は、たとえば、大型のカップＣを収納可能である。図１７は、収納部Ｓ´にカップＣを置いた状態を示している。
【００２３】
▲３▼新聞、雑誌、地図などの本Ｂを保持する場合
Ｌ字状部材３０を手でベース２０に対して車両後方向に引き出し、収納部Ｓ´を形成し、収納部Ｓ´に本Ｂを収納できる。本Ｂが大のとき、サポート部材６０をＬ字状部材３０から車両左右方向外方に引き出すことにより、収納部Ｓ´の車両左右方向の容積を変えることができる。そのため、収納部Ｓ´で本Ｂを保持することができる。図１８は、収納部Ｓ´に本Ｂを収納した状態を示している。
【００２４】
▲４▼カップＣと本Ｂを同時に保持する場合
Ｌ字状部材３０を手でベース２０に対して車両後方向に引き出し、収納部Ｓ´を形成する。このとき、Ｌ字状部材３０の立ち上がり壁３２に設けられたカップホルダ３２ｂもベース２０の車両後方向側面２２から車両後方向に突出している。そのため、カップホルダ３２ｃにカップＣを収納し、収納部Ｓ´に本Ｂを収納することで、カップＣと本Ｂを同時に１つの場所で（コンソールボックス背面部）で保持できる。
【００２５】
つぎに、本発明実施例２の作用を説明する。
ベース２０とＬ字状部材３０と一対のサポート部材６０とで上方に開放する容積可変の収容部Ｓ´を形成できる。そのため、収容部Ｓ´にカップＣ、本Ｂ、ごみ袋Ｇ、菓子袋Ｋなど複数の物品を収納することができる（図１７〜図２０参照）。
車内に持ち込む頻度の高いカップＣと本Ｂを同じ場所に保持することができ、車内をすっきりさせることができる。
コンソールボックス背面部で本Ｂを保持できるので、たとえば助手席や運転席のシートバックポケットに本Ｂを入れているときより運転者の人から本Ｂまでの距離が近くなる。
カップＣをカップホルダ３２ｂに収納し、本Ｂを収納部Ｓ´に収納することにより、カップＣが本Ｂに接触することを防止できるため、カップＣと本Ｂを同時に保持した場合でも、カップＣに付いた水滴で本Ｂが濡れることはない。
サポート部材６０が設けられているので、本Ｂを収納部Ｓ´に収納したとき、本類Ｂが走行中の振動により車両左右方向に移動して収納体装置１０ｂから落下することを防止できる。
カップホルダ３２ｂと灰皿３２ｃは、収納部Ｓ´より車両前後方向後側にあり（カップホルダ３２ｂと灰皿３２ｃが収納部Ｓ´より後席に近い位置にあり、）さらに、収納部Ｓ´に収納される物品とカップホルダ３２ｂに収納されるカップＣおよび灰皿３２ｃとが直接接触しないように各々独立した保持を行うため、収納部Ｓ´に大型のカップＣ、本Ｂ、ごみ袋Ｇ、菓子袋Ｋなど大きな物品を収納しても後席用のカップホルダ３２ｃ、灰皿３２ｄの使用の障害にはならない。
【００２６】
【発明の効果】
請求項１、請求項３、請求項５記載の車両用収納体装置によれば、ベースとＬ字状部材とアームとで上方に開放する収容部を形成することができる。そのため、ベースとＬ字状部材とアームとで形成される収容部にカップを収納することができる。また、アームがベースに回動可能に取付けられており、アームをＬ字状部材の引き出し方向と同方向に付勢する付勢部材が設けられているので、ベースとＬ字状部材との間に新聞・雑誌、地図などの本を入れ、アームで本をＬ字状部材に押し付けて本を保持することができる。
請求項２〜請求項５記載の車両用収納体装置によれば、Ｌ字状部材がベースに対して引き出し自在に設けられており、サポート部材がＬ字状部材にＬ字状部材の引き出し方向と直交する方向に移動可能とされているので、ベースとＬ字状部材とサポート部材とで上方に開放する容積可変の収容部を形成することができる。そのため、ベースとＬ字状部材とサポート部材とで形成される収容部の容積を変えることにより、複数種類の物品を（カップだけでなく、カップ以外の本も）保持できる。
【図面の簡単な説明】
【図１】本発明実施例１の車両用収納体装置の、Ｌ字状部材をベースに押し込んでいる状態を示す斜視図である。
【図２】図１の側面からの透視図である。
【図３】本発明実施例１の車両用収納体装置の、Ｌ字状部材をベースから引き出した状態を示す斜視図である。
【図４】図３の側面からの透視図である。
【図５】図３の上面からの透視図である。
【図６】本発明実施例１の車両用収納体装置の、アーム間にカップを置いた状態を示す斜視図である。
【図７】図６の側面からの透視図である。
【図８】図７でのＬ字状部材をさらにベースから引き出しカップを２本置いた状態での側面からの透視図である。
【図９】本発明実施例１の車両用収納体装置の、アームが本を押さえて保持している状態を示す斜視図である。
【図１０】図９に本を増やした状態での側面からの透視図である。
【図１１】本発明実施例１の車両用収納体装置の、カップと本を同時に置いた状態での側面からの透視図である。
【図１２】本発明実施例２の車両用収納体装置の、Ｌ字状部材をベースに押し込んでいる状態を示す斜視図である。
【図１３】本発明実施例２の車両用収納体装置の、Ｌ字状部材をベースから引き出した状態を示す斜視図である。
【図１４】本発明実施例２の車両用収納体装置の、図１３の状態からさらにＬ字状部材を引き出した状態を示す斜視図である。
【図１５】本発明実施例２の車両用収納体装置の、図１４の状態からサポート部材をＬ字状部材から引き出した状態を示す斜視図である。
【図１６】本発明実施例２の車両用収納体装置の、図１４の状態の上面からの透視図である。
【図１７】本発明実施例２の車両用収納体装置の、小型カップと大型カップを同時に保持した状態での斜視図である。
【図１８】本発明実施例２の車両用収納体装置の、カップと本を同時に置いた状態での斜視図である。
【図１９】本発明実施例２の車両用収納体装置の、カップとごみ袋を同時に置いた状態での斜視図である。
【図２０】本発明実施例２の車両用収納体装置の、カップと大型カップと菓子袋を同時においた状態での斜視図である。
【符号の説明】
１０  １０ａ  １０ｂ  収納体装置
２０  ベース
２１  支持部
２１ａ  凹凸面
２２  ベースの車両後方向側面
３０  Ｌ字状部材
３１  底壁部
３１ａ  突起部
３２  立ち上がり壁部
４０  アーム
４３  ローラー
５０  付勢部材
６０  サポート部材
６１  底壁
６２  立ち上がり壁
Ｓ  Ｓ´  収納部
【図１】
2004203065.tif 000003
【図２】
2004203065.tif 000004
【図３】
2004203065.tif 000005
【図４】
2004203065.tif 000006
【図５】
2004203065.tif 000007
【図６】
2004203065.tif 000008
【図７】
2004203065.tif 000009
【図８】
2004203065.tif 000010
【図９】
2004203065.tif 000011
【図１０】
2004203065.tif 000012
【図１１】
2004203065.tif 000013
【図１２】
2004203065.tif 000014
【図１３】
2004203065.tif 000015
【図１４】
2004203065.tif 000016
【図１５】
2004203065.tif 000017
【図１６】
2004203065.tif 000018
【図１７】
2004203065.tif 000019
【図１８】
2004203065.tif 000020
【図１９】
2004203065.tif 000021
【図２０】
2004203065.tif 000022